(57)【要約】【課題】オープンスペースの開放端に取り付けた庇を正常な状態に保持することができる庇の取付構造を提供する。【解決手段】間隔をおいて配置された二つの室用建物部１４ａ、１４ｂの互いに対向する二つの壁部１４ｃ、１４ｄ間に、外方に開放するオープンスペース１５が形成され、このオープンスペース１５の開放端１５ａには外方に突出する庇Ｈを設ける庇の取付構造であって、庇Ｈはオープンスペース１５側の縁部３０ａを二つの壁部１４ｃ、１４ｄに取り付けた。【選択図】    図１
2004150119.tif 000002
【特許請求の範囲】
【請求項１】
間隔をおいて配置された二つの室用建物部の互いに対向する二つの壁部間に外方に開放するオープンスペースが形成され、該オープンスペースの開放端に前記外方に突出する庇を設ける庇の取付構造であって、
前記庇はオープンスペース側の縁部が前記二つの壁部に取り付けられていることを特徴とする庇の取付構造。
【請求項２】
請求項１に記載の庇の取付構造において、前記壁部は両側に起立する一対の起立部材と一対の該起立部材の上端部間に渡架された渡架部材とを備え、前記庇は一方の前記起立部材及び前記渡架部材に固定されていることを特徴とする庇の取付構造。
【請求項３】
請求項１又は請求項２に記載の庇の取付構造において、二つの前記室用建物部はそれぞれ建物ユニットによって形成されていることを特徴とする庇の取付構造。
【請求項４】
請求項１ないし請求項３のいずれか一つに記載の庇の取付構造において、前記オープンスペースの上方は、二つの前記室用建物部間に渡架された軒天パネルで覆われていることを特徴とする庇の取付構造。
【発明の詳細な説明】
【０００１】
【発明の属する技術分野】
この発明は、対向する二つの壁部間に形成されたオープンスペースの開放端に外方に突出する庇を設ける庇の取付構造に関するものである。
【０００２】
【従来の技術】
従来、二つの室用建物部の対向する二つの壁部間にオープンスペースが設けられた建物１として図６（ａ）に示すようなものが知られている（例えば特許文献１参照）。
【０００３】
この建物１は、複数の建物ユニット２が平面視コ字状に配設されて、間隔をおいて配置された二つの室用建物部２ａ、２ｂを形成している。そして、この室用建物部２ａ、２ｂの互いに対向する壁部３ａ、３ｂ間にオープンスペース４が形成されている。
【０００４】
オープンスペース４は外方に開放すると共に上方が軒天パネル５で覆われている。また、室用建物部２ａ、２ｂの上方及び軒天パネル５の上方は屋根パネル６によって覆われている。
【０００５】
そして、この建物１のオープンスペース４の開放端４ａ側に外方に突出する庇を取り付ける場合を考えると、庇の建物１側の側縁を軒天パネル５の軒先側５ａに取り付けることにより、この庇が軒天パネル５によって片持ち状態で支持されることが考えられる。
【０００６】
【特許文献１】
特許第２９７５３６５号明細書
【０００７】
【発明が解決しようとする課題】
しかしながら、上述のように庇を取り付けた場合では、庇の突出幅が大きくなると、庇の外方側の側縁が撓んで軒天パネル５の軒先側５ａに位置する梁部５ｂに下方に向かって回転する方向の荷重がかかることになる。
【０００８】
一方、軒天パネル５の梁部５ｂは、図６（ｂ）に示すように薄肉の鋼板等で形成されているため下方に向かって回転する方向の荷重を支持することが難しく、庇を正常な状態に保持することが困難になっていた。
【０００９】
そこで、この発明は上記問題に鑑み、オープンスペースの開放端に取り付けた庇を正常な状態に保持することができる庇の取付構造を提供することを目的としている。
【００１０】
【課題を解決するための手段】
上記課題を解決するために、請求項１に係る発明の庇の取付構造は、間隔をおいて配置された二つの室用建物部の互いに対向する二つの壁部間に外方に開放するオープンスペースが形成され、このオープンスペースの開放端に外方に突出する庇を設け、庇はオープンスペース側の縁部が二つの壁部に取り付けられていることを特徴としている。
【００１１】
請求項２に係る発明は、請求項１に記載の庇の取付構造において、壁部は両側に起立する一対の起立部材とこの一対の起立部材の上端部間に渡架される渡架部材とを備え、庇は一方の起立部材及び渡架部材に固定されていることを特徴としている。
【００１２】
請求項３に係る発明は、請求項１又は請求項２に記載の庇の取付構造において、二つの室用建物部はそれぞれ建物ユニットによって形成されていることを特徴としている。
【００１３】
請求項４に係る発明は、請求項１ないし請求項３のいずれか一つに記載の庇の取付構造において、オープンスペースの上方は、二つの室用建物部間に渡架された軒天パネルで覆われていることを特徴としている。
【００１４】
【発明の実施の形態】
以下、図面に基づいてこの発明の実施の形態を説明する。
【００１５】
図１中に示す１０は建物であり、左右対称になるように下階用の複数の建物ユニット１１ａ〜１１ｅが平面視コ字状に配設され、この各建物ユニット１１ａ〜１１ｅの上に上階用の複数の建物ユニット１２ａ〜１２ｅが積層され、この建物ユニット１２ａ〜１２ｅの上に屋根１３が取り付けられている。
【００１６】
そして、建物ユニット１１ａ、１２ａによって第１の室用建物部１４ａが形成され、建物ユニット１１ｅ、１２ｅによって第２の室用建物部１４ｂが形成されている。この第１、第２の室用建物部１４ａ、１４ｂは間隔をおいて配置されており、第１の室用建物部１４ａの壁部１４ｃと第２の室用建物部１４ｂの壁部１４ｄとは互いに対向して、この間に建物１０の前側（外方）に向かって開放したオープンスペース１５が形成されている。
【００１７】
ここで、各建物ユニット１１ａ〜１２ｅは、それぞれのコーナに起立する支柱４０（起立部材）と、この支柱４０の上端部間に渡架された梁４１（渡架部材）とを備えている。（図示２、４参照）。これにより、壁部１４ｃ、１４ｄはそれぞれ両側に起立する一対の支柱４０（起立部材）と、この一対の支柱４０の上端部間に渡架される梁４１（渡架部材）とを有している。
【００１８】
また、オープンスペース１５の上方は二つの室用建物部１４ａ、１４ｂ間に渡架された軒天パネル２０によって覆われている。
【００１９】
さらに、オープンスペース１５の開放端１５ａには、外方に突出するように庇Ｈが設けられている。この庇Ｈは、複数の庇ユニット３０が長手方向に結合されて形成されている。なお、ここで庇Ｈは図１に示すように、建物ユニット１２ａの前側に位置する第１庇ユニット３０Ａと、オープンスペース１５の前側に位置する第２庇ユニット３０Ｂと、建物ユニット１２ｅの前側に位置する第３庇ユニット３０Ｃとを有している。
【００２０】
軒天パネル２０は、図３に示すように、パネル状の軒天パネル本体２０ａと、この軒天パネル本体２０ａの前側（オープンスペース１５の開放端１５ａ側）のコーナに設けられた平面視Ｌ字状の固定プレート２１、２１と、この軒天パネル本体２０ａの後側（建物ユニット１２ｃ側）のコーナに設けられた平面視Ｌ字状の固定プレート２２、２２とを有している。
【００２１】
軒天パネル本体２０ａは底壁５０と、底壁５０の前後左右縁部にそれぞれ設けられた前壁５１、後壁５２、左右の側壁５３、５４と、左右に所定間隔をおいて配列され且つ前壁５１と後壁５２間に介装された複数の軒天井根太５５と、左右方向中央部に設けられた軒天井界壁５６と、この軒天井界壁５６の両側に位置して軒天井根太５５上に取り付けられた板体５７とを有している。
【００２２】
また、固定プレート２１、２１は短手面２１ａが前壁５１の前面に溶接等で固着され、長手面２１ｂが側壁５３、５４に沿って後方に向けて延設されている。そして、固定プレート２２、２２は短手面２２ａが後壁５２に溶接等で固着され、長手面２２ｂが側壁５３、５４に沿って前方に向けて延設されている。
【００２３】
庇ユニット３０は、図４（ａ）に示すように、長手方向に延びる補助梁３１を有している。この補助梁３１は、建物１０側に延びる一対の腕木３２ａ、３２ｂが両端部近傍に設けられると共に、外方側に延びる複数の庇アーム３３が全長に亘って所定間隔をおいて設けられている。
【００２４】
腕木３２ａ、３２ｂの先端部には、それぞれ接合プレート３４が設けられている。後述するように庇ユニット３０はこの接合プレート３４を介して建物１０に取り付けられる。
【００２５】
さらに、腕木３２ａ、３２ｂ間には後側軒天受材３５ａが下方に突出した状態で架設され、この後側軒天受材３５ａには建物１０側に延びる複数のアーム３６が所定間隔をおいて設けられている。また、庇アーム３３の先端部近傍には前側軒天受材３５ｂが下方に突出した状態で架設されている。さらに、補助梁３１の下側には、所定間隔をおいて軒天受ピース３５ｃ（図３（ｂ）参照）が下方に突出した状態で設けられている。
【００２６】
そして、図３（ｂ）に示すように、これらの補助梁３１、腕木３２ａ、３２ｂ、庇アーム３３の下側には、後側軒天材受３５ａ、前側軒天材受３５ｂ、軒天受ピース３５ｃを介して下面ボード３７が取り付けられている。この下面ボード３７の外方側には前面ボード３８が取り付けられている。
【００２７】
さらに、この庇ユニット３０の長手方向両端部には、ジョイントプレートＪがそれぞれ設けられている（図２参照）。そして、庇ユニット３０は、図２に示すように、隣接する他の庇ユニット３０とこのジョイントプレートＪを介して長手方向に連結されて庇Ｈを構成している。ここで、ジョイントプレートＪは下面ボード３７同士を連結している。
【００２８】
次に、この庇Ｈを建物１０のオープンスペース１５の開放端１５ａ側に設ける取付構造について説明する。
【００２９】
まず、軒天パネル２０を建物ユニット１２ａ、１２ｅのオープンスペース１５に臨んだコーナの支柱（起立部材）の上端部に設けられた公知の取付構造によって二つの室用建物部１４ａ、１４ｂ間に渡架し、オープンスペース１５の上方を軒天パネル２０によって覆う。
【００３０】
即ち、図４（ｂ）に示す建物ユニット１２ａの前側部分について説明すると、オープンスペース１５に臨んだコーナの支柱４０の上端部に、軒天パネル本体２０ａ側に突出するボルト５８ａが螺着されている。このボルト５８ａと軒天パネル２０の固定プレート２１の長手面２１ｂに形成された切欠２３と係合して軒天パネル２０を保持させ、さらに固定プレート２１の切欠２３の上方位置をボルト５８ｂによって支柱４０に固着する。
【００３１】
さらに、固定プレート２１を支柱４０と図示しない後側の支柱との間に渡架された梁４１にも固定する。ここでは、上下方向に並んで設けられたボルト５８ｃ、５８ｄによって固定プレート２１の長手面２１ｂが梁４１に固着されている。
【００３２】
このように、軒天パネル２０の各コーナはそれぞれ同様の構造によって取り付けられ、室用建物部１４ａ、１４ｂ間に渡架されている。
【００３３】
次に、庇Ｈをオープンスペース１５の開放端１５ａ側に取り付ける。このとき庇Ｈは、オープンスペース１５側の縁部３０ａが二つの壁部１４ｃ、１４ｄにそれぞれ取り付けられることにより、外方に突出するように設けられる（図１参照）。
【００３４】
なお、庇Ｈは壁部１４ｃ、１４ｄにそれぞれ同じ構造によって取り付けられるので、図２には壁部１４ｃと庇Ｈとの関係について示し、壁部１４ｄと庇Ｈとの関係についての図示は省略する。
【００３５】
図２に示すように、庇Ｈのオープンスペース１５の前側に位置する第２庇ユニット３０Ｂは、腕木３２ａに設けられた接合プレート３４を介して固定プレート２１の短手面２１ａに取り付けられている。なお、５９ａは接合プレート３４と固定プレート２１とを固着するボルトであり、図４（ｂ）に示すように上下方向に並んでいる。
【００３６】
ここで、上述のように、固定プレート２１の長手面２１ｂが支柱４０及び梁４１に固着されているので、第２庇ユニット３０Ｂは固定プレート２１を介して壁部１４ｃの支柱４０と梁４１とで支持されることとなる。
【００３７】
なお、固定プレート２１は軒天パネル２０の前壁５１に固着されており、この第２庇ユニット３０Ｂは軒天パネル２０に取り付けられた構成になっている。しかし、軒天パネル２０は固定プレート２１によって支柱４０及び梁４１に取り付けられているので、第２庇ユニット３０Ｂの荷重は軒天パネル２０の軒天パネル本体２０ａにはほとんど作用することはない。
【００３８】
このように、軒天パネル２０に庇Ｈの荷重がほとんど作用しなくなるので、庇Ｈの突出幅が大きくなっても、軒天パネル２０の前壁５１に下方に向かって回転する方向の荷重がかかることを防止できる。そして、オープンスペース１５の開放端１５ａに取り付けた庇Ｈを正常な状態に保持することが可能となる。
【００３９】
また、建物１０への庇Ｈの荷重の伝達は、庇Ｈの突出方向に沿って離れた支柱４０と梁４１との２点によって行われる。そのため、庇Ｈの突出幅が大きくなってもさらに安定した状態で庇Ｈを取り付けることができる。
【００４０】
一方、建物ユニット１２ａの前側に位置する第１庇ユニット３０Ａは、腕木３２ｂが壁部１４ｃの開放端１５ａ側に位置するコーナの支柱４０の上端部に取り付けられている。このとき、腕木３２ｂの先端に設けられた接合プレート３４がボルト５９ｂによって支柱４０の前面（外方側面）に固定されている。
【００４１】
ここで、この第１庇ユニット３０Ａと第２庇ユニット３０Ｂとは、ジョイントプレートＪを介して結合されているので、第２庇ユニット３０Ｂの荷重は第１庇ユニット３０Ａを介しても壁部１４ｃの支柱４０で支持されることができる。
【００４２】
また、ここでは図示しないが、第１庇ユニット３０Ａの複数のアーム３６は建物ユニット１２ａの前側に位置する梁４３に固定され、第２庇ユニット３０Ｂの複数のアーム３６は軒天パネル２０の前壁５１に固定されている。これらのアーム３６によって、第１、第２庇ユニット３０Ａ、３０Ｂのそれぞれの撓みを防止することができる。
【００４３】
なお、第３庇ユニット３０Ｃも、上述のような第１庇ユニット３０Ａと同様の構造によって建物ユニット１２ｅの前側に取り付けられている。また、この第３庇ユニット３０Ｃも、ジョイントプレートＪにより第２庇ユニット３０Ｂと結合されている。
【００４４】
以上、この発明に係る実施の形態の一つを図面により詳述してきたが、具体的な構成は上述の実施の形態に限らず、この発明の要旨を逸脱しない範囲の設計の変更等もこの発明に含まれる。
【００４５】
例えば、図５（ａ）に示す庇ユニット６０ように、下面ボード６１を取り付ける軒天受材６２を長手方向に延在せず、所定間隔をおいて複数設けてもよい。この場合では、庇ユニット６０の軽量化を図ることができ、さらに庇Ｈを正常な状態に保持しやすくなる。
【００４６】
また、図５（ｂ）に示す庇ユニット７０のように、下面ボード７１の長手方向の両端に沿って腕木７２、７３を設けてもよい。この場合では、庇ユニット７０同士を結合しやすくなり、撓みを防止しやすくすることができる。
【００４７】
また、上述の実施の形態では、オープンスペース１５の上方が軒天パネル２０によって覆われているが、軒天パネル２０を設けなくともよい。
【００４８】
この場合、オープンスペース１５の前側に位置する第２庇ユニット３０Ｂは、壁部１４ｃ、１４ｄに取り付けられた固定プレート３４によって支柱及び梁に固定されると共に、両側に位置する第１、第３庇ユニット３０Ａ、３０Ｃに、ジョイントプレートＪを介して支持されることとなる。そして、軒天パネル２０を介さなくとも、オープンスペース１５の開放端１５ａに取り付けた庇Ｈを正常な状態に保持することができる。
【００４９】
【発明の効果】
この発明によれば、オープンスペースの開放端に取り付けた庇を正常な状態に保持することができる庇の取付構造を提供することができる。
【図面の簡単な説明】
【図１】この発明に係る建物の概略分解斜視図である。
【図２】この発明に係る庇の取付構造を示す庇の取り付け部分の拡大平面図である。
【図３】軒天パネルの平面図である。
【図４】（ａ）庇ユニットの平面図である。
（ｂ）図２におけるＡ−Ａ線に沿う断面図である。
【図５】（ａ）庇ユニットの第２実施例を示す平面図である。
（ｂ）庇ユニットの第３実施例を示す平面図である。
【図６】（ａ）従来の建物を示す斜視図である。
（ｂ）従来の建物の要部断面図である。
【符号の説明】
１０          建物
１４ａ        室用建物部
１４ｂ        室用建物部
１４ｃ        壁部
１４ｄ        壁部
１５          オープンスペース
１５ａ        開放端
３０ａ        縁部
４０          支柱（起立部材）
４１          梁（渡架部材）
Ｈ            庇
【図１】
2004150119.tif 000003
【図２】
2004150119.tif 000004
【図３】
2004150119.tif 000005
【図４】
2004150119.tif 000006
【図５】
2004150119.tif 000007
【図６】
2004150119.tif 000008